(57)【要約】【課題】扉の取り付け板部の内側面側から取り付け作業、調整ナットの締め付け操作が容易に行えるヒンジ軸装置を提供する。【解決手段】ヒンジ軸装置１は、本体２、枢軸３、トルク調整機構４を具備する。本体２は、扉５３の取り付け板部５５の内側面に一側面を密着させてねじ止めされる。枢軸３は、本体２に支持され、本体２と取り付け板部５５及び取り付け枠部５２を垂直に貫通する。枢軸３は、取り付け枠部５２の嵌合孔５２ｂに軸周り相対回転不能で、抜き差し自在の嵌合部３ａと、本体２の一側面に当接する大径部３ｂと、本体２を他側面側へ貫通するねじ棒部３ｃとを具備する。トルク調整機構４は、枢軸３のねじ棒部３ｃに螺合される調整ナット１４と、この調整ナット１４と本体２との間に介設される複数の皿ばね１３とを具備する。【選択図】図３
2018150960.tif 000002
【特許請求の範囲】
【請求項１】
筐体の開口の対向縁部から奥行き方向に延出する取り付け枠部に、扉の前面板の両縁から後方へ延出して外側面が前記取り付け枠部と平行に対面する取り付け板部を枢支するためのヒンジ軸装置であって、
前記扉の取り付け板部の内側面に一側面を密着させてねじ止めされる本体と、この本体に支持され当該本体、前記取り付け板部及び前記取り付け枠部を垂直に貫通する枢軸と、前記本体に対する前記枢軸の回転トルクを調整するトルク調整機構とを具備し、
前記枢軸は、前記取り付け枠部の嵌合孔に軸周り相対回転不能で抜き差し自在の嵌合部と、前記本体の一側面に当接する大径部と、前記本体を他側面側へ貫通するねじ棒部とを具備し、
前記トルク調整機構は、前記枢軸のねじ棒部に螺合される調整ナットと、この調整ナットと前記本体との間に介設される複数の皿ばねとを具備し、
開放位置にある前記扉の取り付け板部の内側面側から取り付け及び前記調整ナットの締め付けが可能に構成されることを特徴とするヒンジ軸装置。
【請求項２】
前記枢軸の大径部の外周に装着される合成樹脂製のカラーをさらに具備し、
前記カラーは、前記取り付け板部を貫通し先端が前記取り付け枠部に当接し、それによって、前記取り付け板部と前記取り付け枠部との間に所定の間隙を形成するように構成されることを特徴とする請求項１に記載のヒンジ軸装置。
【請求項３】
前記本体は、前記扉の取り付け板部の内側面側から当該取り付け板部に螺合されるねじにより当該取り付け板部に固着されることを特徴とする請求項１に記載のヒンジ軸装置。
【発明の詳細な説明】
【技術分野】
【０００１】
本発明は、筐体の開口部に、これを開閉するための扉を枢支するヒンジ軸装置に関する。
【背景技術】
【０００２】
従来、ノート型パソコンのディスプレイ装置、あるいは各種機械の回転蓋などのように傾角調整を行う必要のある部材に組み込まれる軸ロック装置として、例えば特許文献1に記載されたものが知られている。
この装置においては、重ねられた状態のブラケットと摩擦板を枢支軸が貫通する。ブラケットが本体に固定され、枢支軸がディスプレイ装置や蓋に固定され、弾性加圧部材によってブラケットと摩擦板との間が加圧される。枢支軸と一体に回転する摩擦板と本体に固定されるブラケットとの間に摩擦トルクが生じるので、ブラケットと枢支軸との相対角度を任意の角度に保持することができる。摩擦トルクの調整は、ブラケットと摩擦板の数の増減による。
【先行技術文献】
【特許文献】
【０００３】
【特許文献１】特開２００１−３９２６号公報
【発明の概要】
【発明が解決しようとする課題】
【０００４】
上記従来の軸ロック装置は、軸の方向に直接対面する部材間に装着することができない。
本発明は、上記従来の軸ロック装置とは異なる構成により、特異な構造の筐体とそれの扉との間に容易に装着でき、また枢軸の回転トルクの調整が容易なヒンジ軸装置を提供することを目的としている。
【課題を解決するための手段】
【０００５】
以下、添付図面の符号を参照して説明するが、本発明はこれに限定されるものではない。
上記課題を解決するための、本発明のヒンジ軸装置１は、筐体５１の開口の対向縁部から奥行き方向に延出する取り付け枠部５２に、扉５３の取り付け板部５５を枢支するためのヒンジ軸装置である。扉５３の取り付け板部５５は、前面板５４の両縁から後方へ延出し、その外側面が取り付け枠部５２と平行に対面する。ヒンジ軸装置１は、本体２と、枢軸３と、枢軸３の回転トルクを調整するトルク調整機構４とを具備する。本体２は、扉５３の取り付け板部５５の内側面に一側面を密着させてねじ止めされる。枢軸３は、本体２に支持され、当該本体２と取り付け板部５５及び取り付け枠部５２を垂直に貫通する。また枢軸３は、取り付け枠部５２の嵌合孔５２ｂに軸周り相対回転不能で、抜き差し自在の嵌合部３ａと、本体２の一側面に当接する大径部３ｂと、本体２を他側面側へ貫通するねじ棒部３ｃとを具備する。トルク調整機構４は、枢軸３のねじ棒部３ｃに螺合される調整ナット１４と、この調整ナット１４と本体２との間に介設される複数の皿ばね１３とを具備する。
【発明の効果】
【０００６】
本発明のヒンジ軸装置１は、開放位置にある扉の取り付け板部の内側面側から取り付け可能であり、また調整ナットの締め付け操作によるトルク調整も同様に扉側から容易に行える。
【図面の簡単な説明】
【０００７】
【図１】本発明に係るヒンジ軸装置を示すもので、（ａ）は正面図、（ｂ）は断面図、（ｃ）は背面図である。
【図２】図１のヒンジ軸装置の装着状態を示すもので、（ａ）は筐体の内側から見た一部の正面図、（ｂ）は一部の平面図、（ｃ）は一部の縦断側面図である。
【図３】図２におけるＩＩＩ部の断面図である。
【図４】図２におけるＩＶ部の断面図である。
【発明を実施するための形態】
【０００８】
図面を参照して本発明の実施の形態を説明する。
図２に示すように、筐体５１は、開口の左右対向縁部（一方のみを図示）から奥行き方向（後方）へ直角に延出する左右一対の取り付け枠部５２を有する。扉５３は、前面板５４の左右両縁（一方のみを図示）から後方へ直角に延出して外側面が取り付け枠部５２と平行に対面する左右一対の取り付け板部５５を有する。
【０００９】
ヒンジ軸装置１は、扉５３の取り付け板部５５を筐体５１の取り付け枠部５２に枢支するために、取り付け板部５５の上端部に取り付けられる。したがって、扉５３は、上端部左右両縁において筐体５１の取り付け枠部５２に枢支され、図２（ｃ）に示すように、下端側が前方へ回転することにより筐体５１の開口を開くようになっている。
【００１０】
図１に示すように、ヒンジ軸装置１は、本体２と、これに支持される枢軸３と、枢軸３の回転トルクを調整するトルク調整機構４とを具備する。
【００１１】
本体２は、ベース金具５とカバー金具６との間に、合成樹脂製の介設部材７を介在させ、接続管８により接続してなる。ベース金具５とカバー金具６は、矩形板両縁が直角に起立した断面コ字状（図４）である。接続管８は、ベース金具５、介設部材７、カバー金具６を貫通し、両端においてベース金具５、カバー金具６にカシメ止めされる。接続管８の内側にねじ挿通孔８ａが形成される。
【００１２】
枢軸３は、ばね受け孔９と挿通孔１０を通して本体２を軸周り回転自在に貫通する。ばね受け孔９は、カバー金具６と介設部材７を通して形成される。挿通孔１０は、ベース金具５に形成され、ばね受け孔９より小径で、これと同心である。枢軸３は、一端側の嵌合部３ａと、他端側のねじ棒部３ｃと、両者間の大径部３ｂとを具備する。角軸を形成する嵌合部３ａがベース金具５の外側へ突出する。大径部３ｂは、ワッシャ１１を介してベース金具５の外側面に当接する。ねじ棒部３ｃは、ばね受け孔９を介して介設部材７とカバー金具６を貫通し、カバー金具６の外側へ突出する。大径部３ｂの外周には、合成樹脂製のカラー１２が嵌め込まれる。
【００１３】
本体２に対する枢軸３の回転トルクを調整するためのトルク調整機構４は、ねじ棒部３ｃに装着される皿ばね１３とナット１４とを具備する。複数の皿ばね１３が、ワッシャ１６，１７に挟まれてばね受け孔９内に挿入される。皿ばね１３は、ねじ棒部３ｃに螺合されるナット１４により、樹脂ワッシャ１５を介して、ベース金具５との間に締め付けられる。ナット１４による皿ばね１３の締め付け強度により、枢軸３の回転トルクが調整される。
【００１４】
図３、図４に示すように、筐体５１の取り付け枠部５２の内側面には、補強板５２ａが溶着され、両者を貫通する角孔５２ｂが予め形成される。扉５３の取り付け板部５５の内側面には、補強板５５ａが溶着され、両者を貫通する段付き孔５５ｂと、２つのねじ孔５５ｃが予め形成される。
【００１５】
ヒンジ軸装置１は、扉５３を開放位置において、角孔５２ｂと段付き孔５５ｂとを合致させ、角孔５２ｂに枢軸３の嵌合部３ａを嵌合させた状態で、ねじ１８により、取り付け板部５５の上端部に固着される。即ち、ヒンジ軸装置１は、ベース金具５の外側面を取り付け板部５５の補強板５５ａの内側面に密着させて、ねじ挿通孔８ａを通してねじ孔５５ｃに螺合されるねじ１８により、取り付け板部５５に固着される。カラー１２は、段付き孔５５ｂを貫通して取り付け板部５５の外側へ突出し、先端が取り付け枠部５２の外側面に当接することにより、取り付け枠部５２と取り付け板部５５との間に間隙Ｇを形成する。カラー１２の交換により、間隙Ｇを調整することができる。ワッシャ１１は、段付き孔５５ｂの段部で抜け止めされる。
【００１６】
以上のように、ヒンジ軸装置１の取り付けには、筐体５１の内側からの作業を必要とせず、扉５２の取り付けと同時に筐体５１の外側から施工することができる。また、枢軸３の回転トルクの調整は、扉５２を開放した状態で、筐体５１の外側からナット１４を回すことにより行うことができる。
【符号の説明】
【００１７】
１      ヒンジ軸装置
２      本体
３      枢軸
３ａ    嵌合部
３ｂ    大径部
３ｃ    ねじ棒部
４      トルク調整機構
５      ベース金具
６      カバー金具
７      介設部材
８      接続管
８ａ    ねじ挿通孔
９      ばね受け孔
１０    挿通孔
１１    ワッシャ
１２    カラー
１３    皿ばね
１４    ナット
１５    樹脂ワッシャ
１６    ワッシャ
１７    ワッシャ
１８    ねじ
５１    筐体
５２    取り付け枠部
５２ａ  補強板
５２ｂ  角孔
５３    扉
５４    前面板
５５    取り付け板部
５５ａ  補強板
５５ｂ  段付き孔
５５ｃ  ねじ孔
Ｇ      間隙
【図１】
2018150960.tif 000003
【図２】
2018150960.tif 000004
【図３】
2018150960.tif 000005
【図４】
2018150960.tif 000006
【手続補正書】
【提出日】平成30年4月25日(2018.4.25)
【手続補正１】
【補正対象書類名】特許請求の範囲
【補正対象項目名】全文
【補正方法】変更
【補正の内容】
【特許請求の範囲】
【請求項１】
筐体の開口の対向縁部から奥行き方向に延出する取り付け枠部に、扉の前面板の両縁から後方へ延出して外側面が前記取り付け枠部と平行に対面する取り付け板部を枢支するためのヒンジ軸装置であって、
前記扉の取り付け板部の内側面に一側面を密着させてねじ止めされる本体と、この本体に支持され当該本体、前記取り付け板部及び前記取り付け枠部を垂直に貫通する枢軸と、当該枢軸の外周に装着される合成樹脂製のカラーと、前記本体に対する前記枢軸の回転トルクを調整するトルク調整機構とを具備し、
前記枢軸は、前記取り付け枠部の嵌合孔に軸周り相対回転不能で抜き差し自在の嵌合部と、前記本体の一側面に当接する大径部と、前記本体を他側面側へ貫通するねじ棒部とを具備し、
前記トルク調整機構は、前記枢軸のねじ棒部に螺合される調整ナットと、この調整ナットと前記本体との間に介設される複数の皿ばねとを具備し、
前記カラーは、前記枢軸の大径部の外周に装着され、前記取り付け板部を貫通し先端が前記取り付け枠部に当接し、それによって、前記取り付け板部と前記取り付け枠部との間に所定の間隙を形成し、
開放位置にある前記扉の取り付け板部の内側面側から取り付け及び前記調整ナットの締め付けが可能に構成されることを特徴とするヒンジ軸装置。
【請求項２】
前記本体は、前記扉の取り付け板部の内側面側から当該取り付け板部に螺合されるねじにより当該取り付け板部に固着されることを特徴とする請求項１に記載のヒンジ軸装置。
【手続補正２】
【補正対象書類名】明細書
【補正対象項目名】００１６
【補正方法】変更
【補正の内容】
【００１６】
以上のように、ヒンジ軸装置１の取り付けには、筐体５１の内側からの作業を必要とせず、扉５３の取り付けと同時に筐体５１の外側から施工することができる。また、枢軸３の回転トルクの調整は、扉５３を開放した状態で、筐体５１の外側からナット１４を回すことにより行うことができる。